(57)【要約】      （修正有）【課題】鞄本体の底面において物品の積載空間が拡張されて積載能力を高めるとともに、安定した物品の積載を達成し、かつ人が腰を掛けることのできる十分な空間を形成する旅行鞄を提供する。【解決手段】一方の側面に伸縮キャリーハンドル１０を具える鞄本体１と、平行に設ける２本の上レール２３と、２本の該上レール２３の両端にそれぞれ連結する連結桿３０と、２本の該下レール２２に設ける複数のキャスター４０と、２本の該レールの内の一方のレールに設けるキャスターベース部２とを含み、該レールの収縮、又は展開した状態で位置決めする。【選択図】図９
2018175526.tif 000002
【特許請求の範囲】
【請求項１】
一方の側面に伸縮キャリーハンドルを具える鞄本体と、
平行に設ける２本のレールと、２本の該レールの両端にそれぞれ連結する連結桿と、２本の該レールに設ける複数のキャスターと、２本の該レールの内の一方のレールに設ける位置決め手段とを含むキャスターベース部と、を含んでなる旅行鞄であって、
それぞれの該レールは、該鞄本体の底面に連結する中レールと、該中レールの上、下側面に摺動自在に設ける下レールと及び上レールとを含み、該上レールと該下レールとを該中レールの上、下側面に収縮して、該レールが収縮した状態となるか、または外方向に延伸して該中レールの両端から適宜な長さだけ延伸して展開した状態となるように構成し、
該連結桿を該レールの該上レールの一端の外部と、該下レールの一端の外部に連結し、
該位置決め手段によって該レールの収縮、又は展開した状態で位置決めすることを特徴とする旅行鞄。
【請求項２】
前記レールが２本のボールストリップと、ボール座とを含み、
該中レールの上面に中レールスライド溝を形成し、かつ該中レールの対向する両側壁は、上端縁部が外方向に延伸して翼状固定板を形成し、該翼状固定板によって該鞄本体の底面に連結して固定し、
該中レールの一端の中レールスライド溝に上レールストップブロックを設け、該中レールの他端には外方向に突出する第１ボールストリップストップブロックを形成し、
該下レールの上面に該中レールを収納して摺動させる下レールスライド溝を形成し、該下レールスライド溝の一端の内壁には、長手方向の両端に至るまで延伸する溝を形成し、かつ該下レールスライド溝の一端の内壁の該溝に対応する位置には第２ボールストリップストップブロックを設け、該下レールスライド溝の一端の外壁には突出する中レールストップブロックを形成し、該中レールストップブロックが、該中レールが該下レールスライド溝内で収縮した場合に該中レールの一端に当止し、
該上レールは、摺動自在に該中レールスライド溝内に設け、かつ該上レールの底面に当止ブロックを形成して該上レールが該中レール上において外方向に延伸する長さが適宜な長さとなり、完全に外れることのないように制限し、
該２本のボールストリップは、摺動自在に該下レールの２本の溝に設け、それぞれの該ボールストリップは、自在に転動する複数のボールを嵌挿してなり、該ボールストリップの複数の該ボールは、対向する両方の側が該中レールと該下レールの対応する側壁に当接し、
該下レールと該中レールとが相対的に適宜な長さに至る」まで伸展した場合、２本の該ボールストリップの両端が、それぞれ該下レールの該第２ボールストリップストップブロックと該中レールの該第１ボールストリップストップブロックとに当止して、該下レールと該中レールとが相対的に延伸した場合に互いに外れないように制限し、
該ボール座は、摺動自在に該中レールスライド溝内に設け、かつ該中レールと該上レールとの間に位置し、該ボール座は対向する両側壁に自在に転動する複数のボールを嵌挿してなり、該ボール座の両側壁上の複数の該ボールは、対向する両側がそれぞれ該中レールと上レールの対応する側壁面に当接することを特徴とする請求項１に記載の旅行鞄。
【請求項３】
前記翼状固定チップに複数の孔部を形成し、該孔部を介して鞄本体の底面にネジを螺着して固定することを特徴とする請求項２に記載の旅行鞄。
【請求項４】
前記中レールスライド溝の対向する両側壁の内壁面には、両端にまで延伸する内部ボールをそれぞれ形成するとともに該中レールスライド溝の対向する両側壁の外壁面には、両端にまで延伸する外部ボール溝をそれぞれ形成し、該上レールの対向する側壁の外壁面には、延伸して両端に至る上レールボール溝をそれぞれ形成し、該２本のボールストリップの複数の該ボールの一方の側が該外部ボール溝に嵌め込まれ、他方の側が両溝の溝壁に当接し、該ボール座の両壁上の複数の該ボールの一方の側が該内部ボール溝に嵌め込まれ、他方の側が該上レールボール溝に嵌め込まれることを特徴とする請求項２に記載の旅行鞄。
【請求項５】
前記下レール外端の側壁の外壁面に位置決め溝を形成し、該位置決め手段は弾性位置決めチップと制御軸とを含み、該弾性位置決めチップは一端が該上レールの一端外部の外側壁面に連結し、他端は勾配部を形成し、該下レールと該上レールとが該中レールの上、下側に収縮すると、該勾配部が該下レールの該位置決め溝に嵌挿され、該レールが位置決めされて収縮した状態となり、該下レールと該上レールとが、該中レールの上、下側の両端から適宜な長さだけ延伸すると、該勾配部が該下レールの一端の内部面に当接し、該レールが位置決めされて展開した状態となり、該御軸は一端が該弾性位置決めチップの該勾配部から離れた一端の外側面に連結し、引き起こされることで該弾性位置決めチップの弾性による揺れを制御し、該勾配部を該位置決め溝に嵌挿させるか、又は該位置決め溝から離し、当止するか、又は該下レールの内部端面から離れるようにすることを特徴とする請求項２に記載の旅行鞄。
【請求項６】
前記複数のキャスターの数が６つであって、かつそれぞれのレールに３つ設け、その内２つの該キャスターが該下レール底面の両端に近接した位置に設けられ、１つの該キャスターが該上レールの外部端に近接した位置に設けられることを特徴とする請求項５に記載の旅行鞄。
【請求項７】
前記鞄本体が矩形を呈する面によってなることを特徴とする請求項５に記載の旅行鞄。
【請求項８】
前記鞄本体の伸縮キャリーハンドルを固定する側面が後側面であって、該キャスターベース部の２本の該レールと該鞄本体の底面の後ろ側の辺とが平行し、２本の該レールを引き出して展開した状態となった場合、該鞄本体の左右両側に拡張された積載空間が形成されることを特徴とする請求項７に記載の旅行鞄。
【請求項９】
前記鞄本体の伸縮キャリーハンドルを固定する側面が後側面であって、該キャスターベース部の２本の該レールと該鞄本体の底面の後ろ側の辺とが直交し、２本の該レールを引き出して展開した状態となった場合、該鞄本体の前後両側に拡張された積載空間が形成されることを特徴とする請求項７に記載の旅行鞄。
【発明の詳細な説明】
【技術分野】
【０００１】
この発明は、旅行鞄の構造に関する技術に関し、特に旅行鞄の底部を外方向に拡張して積載空間を形成し積載能力を高め、かつ安定した積載を提供する旅行鞄に関する
【背景技術】
【０００２】
旅行鞄は、一般に旅行、又は出張などの際に、着替えの衣服や身の回りの日用品を携帯するために欠かせないツールである。市販される従来の旅行鞄の構造は、主に鞄本体である筐体の一方の側面にキャリーハンドルを設けて旅行鞄を引くのに供する。筐体の底部には複数のキャスターを設けて地面を移動するのに供する。然しながら、従来の旅行鞄は、筐体の対Ｓ系が固定されていて、相対的にその容量も固定されている。よって、携帯する物品が多くなった場合は、別途旅行鞄、手提げ鞄、もしくはその他の物品を収納するものを購買して収納し、別途引きずるか、提げて移動するか、もしくは運送を委託する。よって、使用者の形態上の不便を招く。
【０００３】
上述する問題を改善するために、業者から旅行鞄、手提げ鞄、又はその他筐体、もしくは袋体（以下予備の旅行鞄を例として説明する）を本来の旅行鞄の一側面、又は複数の側面に掛けるか、又は係止して積載能力を高めた旅行鞄が開発された。然しながら、係る旅行鞄の構造は、予備の旅行鞄を本体の旅行鞄に掛けたり、係止したりするのだが、追加する予備の旅行鞄の体積、数量には限りがある。而も全体的に重心が高くなり引きずって移動しにくくなり、甚だしくは傾斜して転倒する情況も発生する。よって、積載の安定性に欠ける。また、本体の旅行鞄に予備の旅行鞄を掛けたり、係止したりした後、その上に腰かけて休めるのに十分な空間が提供されない。
【発明の概要】
【発明が解決しようとする課題】
【０００４】
この発明は従来の旅行鞄の積載能力と、積載時の安定性に欠けるという問題を解決するためのものであって、通常は、一般の収納空間を具えた旅行鞄として使用でき、鞄本体の底面において物品の積載空間が拡張されて積載能力を高めるとともに、安定した物品の積載を達成し、かつ人が腰を掛けることのできる十分な空間を形成する旅行鞄を提供することを課題とする。
【課題を解決するための手段】
【０００５】
この発明の提供する旅行鞄は、一方の側面に伸縮キャリーハンドルを具える鞄本体と、平行に設ける２本のレールと、２本の該レールの両端にそれぞれ連結する連結桿と、２本の該レールに設ける複数のキャスターと、２本の該レールの内の一方のレールに設ける位置決め手段とを含むキャスターベース部と、を含んでなる旅行鞄であって、それぞれの該レールは、該鞄本体の底面に連結する中レールと、該中レールの上、下側面に摺動自在に設ける下レールと及び上レールとを含み、該上レールと該下レールとを該中レールの上、下側面に収縮して、該レールが収縮した状態となるか、または外方向に延伸して該中レールの両端から適宜な長さだけ延伸して展開した状態となるように構成し、該連結桿を該レールの該上レールの一端の外部と、該下レールの一端の外部に連結し、該位置決め手段によって該レールの収縮、又は展開した状態で位置決めする。
【発明の効果】
【０００６】
この発明におけるキャスターベース部は簡易な構造を有し、製造上組立が容易で、製造コストを低くするという効果を有する。また、鞄本体に連結することで鞄本体の底面に拡張された積載空間を形成して積載能力を高めるとともに、安定した物品の積載を達成するため、使用上便利という効果が得られる。
【図面の簡単な説明】
【０００７】
【図１】この発明におけるキャスターベース部の構造を示した分解図である。
【図２】この発明におけるキャスターベース部を収縮した状態を示した斜視図である。
【図３】この発明におけるキャスターベース部を収縮した状態を示した平面図である。
【図４】この発明におけるキャスターベース部を収縮した状態を示した正面図である。
【図５】この発明におけるキャスターベース部を展開した状態を示した斜視図である。
【図６】この発明におけるキャスターベース部を展開した状態を示した平面図である。
【図７】この発明におけるキャスターベース部を展開した状態を示した正面図である。
【図８】この発明におけるキャスターベース部を収縮した状態の旅行鞄を示した斜視図である。
【図９】この発明におけるキャスターベース部を展開した状態における使用態様を示した説明図である。
【図１０】第２の実施の形態による旅行鞄のキャスターベース部を収縮した状態を示した斜視図である。
【図１１】第２の実施の形態による旅行鞄のキャスターベース部を展開した状態における使用態様を示した説明図である。
【発明を実施するための形態】
【実施例１】
【０００８】
図１から図１１に開示するように、この発明による旅行鞄は、鞄本体１と、キャスターベース部２とを含む。
【０００９】
鞄本体１は、矩形を呈する面によってなり、一方の側面に伸縮キャリーハンドル１０を具える。
【００１０】
キャスターベース部２は、平行に設ける２本のレール２０と、２本のレール２０の両端にそれぞれ連結する連結桿３０と、２本のレール２０に設ける複数のキャスター４０と、２本のレール２０の内の一方のレール２０に設ける位置決め手段５０とを含んでなる。実施例において位置決め手段５０は、前側のレール２０に設けるが、但し後ろ側のレール２０に設けてもよい。いずれのレール２０に設けても、その構造と動作は同一である。以下は前側のレール２０に位置決め手段５０を設けた実施の形態を以て説明することを、予め述べておく。
【００１１】
図１、２、５に開示するように、それぞれのレール２０は、中レール２１と、下レール２２と、上レール２３と、２本のボールストリップ２４と、ボール座２５とを含む。
【００１２】
中レール２１は上面を開口面とし、かつ長手方向の一端から他端に至るまで中レールスライド溝２１０を形成し、断面形状が略コの字状を呈する。また、中レール２１の対向する両側壁は、上端縁部が外方向に延伸して翼状固定板２１１を形成する。翼状固定板２１１には、ネジ、もしくはその他ネジ止め用部材（図示しない）挿通に供する複数の孔部２１２を形成し、該ネジなどは孔部２１２を通過して鞄本体１の底面に螺着する。中レールスライド溝２１０の対向する両側壁の内壁面には、両端にまで延伸する内部ボール溝２１３をそれぞれ形成するとともに、中レール２１の対向する両側壁の外壁面には、両端にまで延伸する外部ボール溝２１４をそれぞれ形成する。中レール２１の一端の中レールスライド溝２１０内には上レールストップブロック２１５を設け、中レール２１の他端には対向する両側壁の外壁面に、外方向に突出する第１ボールストリップストップブロック２１６を形成する。この発明において、中レール２１はネジなどを用いて鞄本体１の底面に連結する以外に、例えば溶接、係合などの周知の常用される固定方法で鞄本体１の底面に連結することができるが、これら周知の方法については、詳述しない。
【００１３】
下レール２２は、上面を開口面とし、かつ長手方向の一端から他端に至るまで下レールスライド溝２２０を形成し、断面形状が略コの字状を呈する。下レールスライド溝２２０は中レール２１を収納し、かつ摺動させる。
下レールスライド溝２２０の対向する両側壁の内壁面には、両端にまで延伸する溝２２１をそれぞれ形成するとともに、下レールスライド溝２２０の一端の内壁の対向する溝２２１の位置には、それぞれ第２ボールストリップストップブロック２２２を形成し、下レールスライド溝２２０の一端の外壁には突出する中レールストップブロック２２３を形成する。中レールストップブロック２２３は、中レール２１が下レールスライド溝２２０内で収縮した場合に中レール２１の一端に当止する。下レール２２の外端の側壁の外壁面には位置決め溝２２４を形成する。
【００１４】
上レール２３は、摺動自在に中レールスライド溝２１０内に設け、かつ上レール２３の対向する側壁の外壁面には、延伸して両端に至る上レールボール溝２３０をそれぞれ形成する。上レール２３の底面には当止ブロック２３１を形成する。当止ブロック２３１は対応する上レールストップブロック２１５に当止して、上レール２３が中レール２１上において外方向に延伸する長さが適宜な長さとなり、完全に外れることのないように制限する。
【００１５】
２本のボールストリップ２４は、摺動自在に下レール２２の２本の溝２２１に設ける。それぞれのボールストリップ２４は、自在に転動する複数のボール２４０を嵌挿してなる。２本のボールストリップ２４の複数のボール２４０は、一方の側が中レール２１の外ボール溝２１４に転動自在な状態で嵌り、他方の側が下レール２２の溝２２１の溝壁に当接する。２本のボールストリップ２４を設けることによって、下レール２２と中レール２１との相対的な摺動の円滑さを高めることができる。下レール２２と中レール２１とが相対的に適宜な長さに至るまで伸展した場合、２本のボールストリップ２４の両端は、それぞれ下レール２２の第２ボールストリップストップブロック２２２と中レール２１の第１ボールストリップストップブロック２１６とに当止して、下レール２２と中レール２１とが相対的に延伸した場合に互いに外れないように制限する。
【００１６】
ボール座２５は、摺動自在に中レールスライド溝２１０内に設け、かつ中レール２１と上レール２３との間に位置する。ボール座２５は、略コの字状を呈し、対向する両側壁上に自在に転動する複数のボール２５０を嵌挿してなる。ボール座２５の両側壁上の複数のボール２５０は、それぞれ一方の側が転動自在に内部ボール溝２１３内に嵌め込まれ、他方の側が上レール２３の上レールボール溝２３０内に転動自在に嵌め込まれる。ボール座２５は上レール２３と中レール２１の相対的な摺動の円滑さを高める。
【００１７】
この発明において、２本のボールストリップ２４はボール座２５を以て代替とすることができる。ボール座２５も２本のボールストリップ２４を以て代替とすることができる。これは上述する実施例の単純な派生的変化にすぎない。よって、更なる詳述は省く。
【００１８】
図１、２、５において。２本の連結桿３０の内の１本は両端がそれぞれ２本のレール２０の下レール２２の一端外部に連結し、他の１本は両端がそれぞれ２本のレール２０の上レール２３の一端外部に連結する。
【００１９】
図１、２、５の開示によれば、複数のキャスター４０の数は６つであって、それぞれのレール２０に３つ設ける。その内２つのキャスター４０は下レール２２底面の両端に近接した位置に連結する。その内の１は上レール２３の一端外部に近接した位置に連結する。
【００２０】
図２から４に開示するように、２本のレール２０の上レール２３と下レール２２は、それぞれ中レール２１の上、下側面に収縮し、２本のレール２０が収縮した様態となる。
【００２１】
図５から７に開示するように、２本レール２０の上レール２３と下レール２２は、それぞれ中レール２１の上、下側面から適宜な長さだけ延伸し、２本のレール２０が展開した様態となる。
【００２２】
図１、３、６に開示するように、位置決め手段５０は弾性位置決めチップ５１と、制御軸５２とを含む。弾性位置決めチッ５１は一端が上レール２３の一端外部の外側壁面に連結し、他端は勾配部５３を形成する。下レール２２と上レール２３とが中レール２１の上、下側に収縮すると、勾配部５３が下レール２２の位置決め溝２２４内に嵌挿され、レール２０は位置決めされて収縮した状態となる。下レール２２と上レール２３とが、中レール２１の上、下側の両端から適宜な長さだけ延伸すると、勾配部５３が下レール２２の一端の内部面に当接し、レール２０が位置決めされて展開した状態となる。制御軸５２は一端が弾性位置決めチップ５１の勾配部５３から離れた一端の外側面に連結し、引き起こされることで弾性位置決めチップ５１の弾性による揺れを制御し、勾配部５３を位置決め溝２２４に嵌挿させるか、又は位置決め溝２２４から離し、当止するか、又は下レール２２の内部端面から離れるようにする。
【００２３】
図８、９この発明の第１の実施の形態における鞄本体１を開示する。鞄本体１は伸縮キャリーハンドル１０を固定する側面を後側面とする。キャスターベース部２の２本のレール２０は鞄本体１底面の後ろ側の辺と平行になる。キャスターベース座２の２本のレール２０は常時収縮した状態となっていて、一般の収納空間を有する旅行鞄として使用する。キャスターベース部２の２本のレール２０を引き出して展開した状態となった場合、２本のレール２０の上レール２３、下レール２２と連結桿３０は、鞄本体１の左右両側に延伸して積載面を形成し、その他物品６０（例えば、その他旅行鞄、手提げ鞄、ショッピングバッグなど）の積載に供する。さらに締結バンド６１で締結してその他物品６０が落ちることを防ぐ。両側に拡張した積載空間に物品を積載した場合、旅行鞄上には、人が快適に腰かけるのに十分な空間が形成される。
【実施例２】
【００２４】
図１０、１１に、この発明の第２の実施の形態を開示する。鞄本体１の伸縮キャリーハンドル１０を固定する側面は後側面である。キャスターベース部２の２本のレール２０と鞄本体１の底面の後ろ側の辺とは直交する。キャスターベース座２の２本のレール２０は常時収縮した状態となっていて、一般の収納空間を有する旅行鞄として使用する。キャスターベース部２の２本のレール２０を引き出して展開した状態となった場合、２本のレール２０の上レール２３、下レール２２と連結桿３０は、鞄本体１の前後両側に延伸して積載面を形成し、その他物品６０（例えば、その他旅行鞄、手提げ鞄、ショッピングバッグなど）の積載に供する。さらに締結バンド６１で締結してその他物品６０が落ちることを防ぐ。両側に拡張した積載空間に物品を積載した場合、旅行鞄上には、人が快適に腰かけるのに十分な空間が形成される。
【００２５】
この発明の提供する旅行鞄は、積載空間を拡張することができ、常時キャスターベース部２の２本のレール２０は収縮した状態となっていて、一般の収納空間を有する旅行鞄として使用する。２本のレール２０を引き出して展開した状態にすると、旅行鞄の両側において物品の積載空間が拡張され、多くの物品を積載することができ、旅行鞄の積載能力を高めることができる。特に、キャスターベース部２の両側の拡張した積載空間は、底部のキャスター４０の好ましい支持によって安定した積載が得られる。特筆すべきは、この発明におけるキャスターベース部２は簡易な構造を有し、製造上組立が容易で、製造コストを低くするという効果を有し、キャスターベース部２を鞄本体１の底面に連結するだけで積載空間を拡張するという効果が得られ、使用上便利という効果が得られる。
【符号の説明】
【００２６】
１          鞄本体
１０        伸縮キャリーハンドル
２          キャスターベース部
２０        レール
２１        中レール
２１０      中レールスライド溝
２１１      翼状固定板
２１２      孔部
２１３      内部ボール溝
２１４      外部ボール溝
２１５      上レールストップブロック
２１６      第１ボールストリップストップブロック
２２        下レール
２２０      下レールスライド溝
２２１      溝
２２２      第２ボールストリップストップブロック
２２３      中レールストップブロック
２２４      位置決め溝
２３        上レール
２３０      上レールボール溝
２３１      当止ブロック
２４        ボールストリップ
２４０      ボール
２５        ボール座
２５０      複数のボール
３０        連結桿 
４０        キャスター
５０        位置決め手段
５１      弾性位置決めチップ
５２      制御軸
５３      勾配部 
６０      その他物品
６１      締結バンド
【図１】
2018175526.tif 000003
【図２】
2018175526.tif 000004
【図３】
2018175526.tif 000005
【図４】
2018175526.tif 000006
【図５】
2018175526.tif 000007
【図６】
2018175526.tif 000008
【図７】
2018175526.tif 000009
【図８】
2018175526.tif 000010
【図９】
2018175526.tif 000011
【図１０】
2018175526.tif 000012
【図１１】
2018175526.tif 000013